(57)【要約】【課題】配線体の接続と取り外しの簡便性を併せ持ち、複数の配線体を取り外す際の作業の手間を軽減することが可能な配線の着脱構造を備えた遊技機を提供する。【解決手段】複数の電気的装置同士（５０，５３，５７）を接続するための配線コード８１と該配線コードを取り付けたコネクタ９０からなる配線体８０と、集合コネクタ受け部７０にコネクタを接続する際に集合コネクタ受け部とコネクタとの間を介在する介在部材１００を備え、介在部材には当該介在部材を移動操作するための操作部１２０が形成され、集合コネクタ受け部とコネクタが介在部材を介して接続された状態において操作部の操作により介在部材をコネクタの引き抜き方向Ｄ１に移動する際に、介在部材の少なくとも一部が複数のコネクタに当接することにより集合コネクタ受け部に接続された複数のコネクタを一括して抜き取り可能に構成した。【選択図】図３
2005131181.tif 000002
【特許請求の範囲】
【請求項１】
複数の電気的装置と、前記電気的装置同士を接続するための配線コードと前記配線コードを取り付けたコネクタからなる配線体とを備えた遊技機において、
前記電気的装置の少なくとも１つには、前記配線体のコネクタが複数接続可能な集合コネクタ受け部が設けられると共に、前記集合コネクタ受け部内には制御端子が設けられ、前記制御端子に前記コネクタが接続されることにより前記制御端子と前記コネクタに取り付けられた前記配線コードが電気的に接続され、前記複数の電気的装置同士が前記配線体により電気的に導通される構成であって、
前記集合コネクタ受け部に前記コネクタを接続する際に前記集合コネクタ受け部と前記コネクタとの間を介在する介在部材を備え、
前記介在部材には当該介在部材を移動操作するための操作部が形成され、前記集合コネクタ受け部と前記コネクタが前記介在部材を介して接続された状態において前記操作部の操作により前記介在部材を前記コネクタの引き抜き方向に移動する際に、前記介在部材の少なくとも一部が前記複数のコネクタに当接することにより前記集合コネクタ受け部に接続された前記複数のコネクタを一括して抜き取り可能に構成したことを特徴とする遊技機。
【請求項２】
前記介在部材には開口部あるいは切り欠き部が形成され、前記開口部あるいは前記切り欠き部を介して前記制御端子と前記コネクタとを接続可能に構成したことを特徴とする請求項１に記載の遊技機。
【請求項３】
前記開口部あるいは前記切り欠き部は前記コネクタ全体が貫通不可能に構成されていることを特徴とする請求項２に記載の遊技機。
【請求項４】
前記介在部材には前記操作部として操作凸部あるいは操作凹部が形成されていることを特徴とする請求項１ないし３のいずれか１項に記載の遊技機。
【請求項５】
前記介在部材又は前記集合コネクタ受け部のいずれか一方には、前記介在部材と前記集合コネクタ受け部とを係着可能にする係着部が形成され、他方には前記係着部と係着する被係着部が形成され、前記介在部材と前記集合コネクタ受け部が前記係着部と前記被係着部により係着された状態において、前記操作部の操作によって前記介在部材と前記集合コネクタ受け部の係着状態が解除可能に構成されていることを特徴とする請求項１ないし４のいずれか１項に記載の遊技機。
【請求項６】
前記操作部の操作により前記介在部材を移動する際に前記介在部材の少なくとも一部が前記複数のコネクタに当接することによって、前記介在部材の移動に連動して前記コネクタが移動可能に構成されていることを特徴とする請求項１ないし５のいずれか１項に記載の遊技機。
【発明の詳細な説明】
【技術分野】
【０００１】
本発明は、パチンコ遊技機等の遊技機に関し、特に遊技機内の複数の電気的装置同士を相互に接続する配線体の着脱構造に関する。
【背景技術】
【０００２】
現在、パチンコ遊技機、スロットマシン等の遊技機は、電気的に駆動及び制御されているため、各種の動作等を制御・実行するための複数の電気的装置が備えられている。前記電気的装置として、例えば、ＣＰＵ，ＲＯＭ，ＲＡＭ等の電子部品が装着された主制御基板、表示制御基板、発光制御基板、電源基板、遊技球の払出制御基板等、各種の制御基板の他、カードユニット等が挙げられる。上記の各電気的装置は遊技状態に応じて互いの電気的装置間で電気信号の送信あるいは受信を行い、適正な遊技状態が保たれるように制御されている。そのため、各電気的装置同士は、配線コードと配線コードに取り付けられたコネクタからなる配線体により電気的に接続されている。
【０００３】
ところで、前記の遊技機においては、従前よりも電気的装置が増加してきていることに伴い、各電気的装置間の接続に要する配線体の数も増加し、その接続は煩雑となるおそれがあった。そこで、樹脂製のコネクタ部材に複数の配線（配線コード）を配して脱着型配線処理ユニットを形成し、複数個の前記脱着型配線処理ユニットをコネクタ用ホルダにより束ね、前記脱着型配線処理ユニットとコネクタ用ホルダと組み合わせた上で、端子が立設するコネクタ用ポストに装着する構造を提案してきた（例えば、特許文献１参照）。
【０００４】
前記特許文献１に係る構造を備えた遊技機にあっては、接続の利便性は確かに図られた。その一方、遊技機においては、検査・交換等の目的から前記電気的装置を取り外す必要があり、併せて配線体も外さなければならない場合があった。このような場合、電気的装置に接続される配線体の数が多いと配線体の取り外し作業に手間がかかるおそれがあり、配線体の接続と取り外しにおいて簡便な着脱構造を備えた遊技機が切望されていた。
【特許文献１】特開２０００−２２５２３４公報
【発明の開示】
【発明が解決しようとする課題】
【０００５】
本発明は前記の点に鑑みなされたものであり、配線体の接続と取り外しの簡便性を併せ持ち、複数の配線体を取り外す際の作業の手間を軽減することが可能な配線の着脱構造を備えた遊技機を提供するものである。
【課題を解決するための手段】
【０００６】
すなわち、請求項１の発明は、複数の電気的装置と、前記電気的装置同士を接続するための配線コードと前記配線コードを取り付けたコネクタからなる配線体とを備えた遊技機において、前記電気的装置の少なくとも１つには、前記配線体のコネクタが複数接続可能な集合コネクタ受け部が設けられると共に、前記集合コネクタ受け部内には制御端子が設けられ、前記制御端子に前記コネクタが接続されることにより前記制御端子と前記コネクタに取り付けられた前記配線コードが電気的に接続され、前記複数の電気的装置同士が前記配線体により電気的に導通される構成であって、前記集合コネクタ受け部に前記コネクタを接続する際に前記集合コネクタ受け部と前記コネクタとの間を介在する介在部材を備え、前記介在部材には当該介在部材を移動操作するための操作部が形成され、前記集合コネクタ受け部と前記コネクタが前記介在部材を介して接続された状態において前記操作部の操作により前記介在部材を前記コネクタの引き抜き方向に移動する際に、前記介在部材の少なくとも一部が前記複数のコネクタに当接することにより前記集合コネクタ受け部に接続された前記複数のコネクタを一括して抜き取り可能に構成したことを特徴とする遊技機に係る。
【０００７】
請求項２の発明は、前記介在部材には開口部あるいは切り欠き部が形成され、前記開口部あるいは前記切り欠き部を介して前記制御端子と前記コネクタとを接続可能に構成したことを特徴とする請求項１に記載の遊技機に係る。
【０００８】
請求項３の発明は、前記開口部あるいは前記切り欠き部は前記コネクタ全体が貫通不可能に構成されていることを特徴とする請求項２に記載の遊技機に係る。
【０００９】
請求項４の発明は、前記介在部材には前記操作部として操作凸部あるいは操作凹部が形成されていることを特徴とする請求項１ないし３のいずれか１項に記載の遊技機に係る。
【００１０】
請求項５の発明は、前記介在部材又は前記集合コネクタ受け部のいずれか一方には、前記介在部材と前記集合コネクタ受け部とを係着可能にする係着部が形成され、他方には前記係着部と係着する被係着部が形成され、前記介在部材と前記集合コネクタ受け部が前記係着部と前記被係着部により係着された状態において、前記操作部の操作によって前記介在部材と前記集合コネクタ受け部の係着状態が解除可能に構成されていることを特徴とする請求項１ないし４のいずれか１項に記載の遊技機に係る。
【００１１】
請求項６の発明は、前記操作部の操作により前記介在部材を移動する際に前記介在部材の少なくとも一部が前記複数のコネクタに当接することによって、前記介在部材の移動に連動して前記コネクタが移動可能に構成されていることを特徴とする請求項１ないし５のいずれか１項に記載の遊技機に係る。
【発明の効果】
【００１２】
請求項１の発明に係る遊技機によると、集合コネクタ受け部にコネクタを接続する際に前記集合コネクタ受け部と前記コネクタとの間を介在する介在部材を備え、前記介在部材には当該介在部材を移動操作するための操作部が形成され、前記集合コネクタ受け部と前記コネクタが前記介在部材を介して接続された状態において前記操作部の操作により前記介在部材を前記コネクタの引き抜き方向に移動する際に、前記介在部材の少なくとも一部が前記複数のコネクタに当接するため、介在部材に形成された操作部の移動操作により、複数のコネクタを集合コネクタ受け部から一括して取り外すことが可能となり、取り外し作業の負担を軽減することが可能となる。
【００１３】
請求項２の発明に係る遊技機によると、介在部材には開口部あるいは切り欠き部が形成されているため、開口部あるいは切り欠き部を介して制御端子とコネクタを容易に接続することが可能となる。
【００１４】
請求項３の発明に係る遊技機によると、開口部あるいは切り欠き部はコネクタ全体が貫通不可能に構成されているため、コネクタを取り外す際にコネクタが貫通することなく取り外すことが可能となる。
【００１５】
請求項４の発明に係る遊技機によると、介在部材には操作部として操作凸部あるいは操作凹部が形成されているため、介在部材が取り扱い易くなり、コネクタの取り外しが容易となる。
【００１６】
請求項５の発明に係る遊技機によると、介在部材又は集合コネクタ受け部のいずれか一方には、前記介在部材と前記集合コネクタ受け部とを係着可能にする係着部が形成され、他方には前記係着部と係着する被係着部が形成されているため、介在部材と集合コネクタ受け部との取り付け状態を係着によって強化することが可能となる。
【００１７】
請求項６の発明に係る遊技機によると、操作部の操作によって介在部材の少なくとも一部が複数のコネクタに当接することによって、前記介在部材の移動に連動して前記コネクタが移動可能となるため、配線コード及びコネクタに余計な負荷をかけることなく、配線体を集合コネクタ受け部から取り外すことができる。
【発明を実施するための最良の形態】
【００１８】
以下添付の図面に従ってこの発明を詳細に説明する。図１は本発明の一実施例に係る遊技機全体の正面図、図２は同遊技機全体の裏面図、図３は電気的装置同士の接続状態の概略を示す斜視図、図４は第一実施例に係る介在部材の斜視図と上面図と断面図、図５は第二実施例に係る介在部材の斜視図と上面図、図６は第一実施例に係る介在部材を介して配線体と集合コネクタ受け部との着脱状態を示す概略斜視図、図７は他の例に係るコネクタの斜視図、図８は図７のコネクタ接続時の断面図、図９は図８の主要部拡大図、図１０は他の例に係るコネクタ受け部の断面図、図１１は図１０の主要部拡大図、図１２は第三実施例に係る介在部材の斜視図、図１３は図１２の介在部材の主要部断面図、図１４はさらに他の例に係るコネクタの斜視図、図１５は図１４のコネクタの主要部断面図、図１６は第三実施例に係る介在部材を介して配線体と集合コネクタ受け部との着脱状態を示す概略斜視図、図１７は第四実施例に係る介在部材を介して配線体と集合コネクタ受け部との着脱状態を示す概略斜視図、図１８は別例に係るコネクタと集合コネクタ受け部との着脱状態を示す概略斜視図である。
【００１９】
図１に示す遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である第１種始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００２０】
また、前記枠体２の前面側には、払い出された遊技球を受け、遊技者の発射操作に応じて遊技球を遊技盤３の遊技領域６に向けて発射する発射装置ＨＤ及び当該発射装置ＨＤに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００２１】
図中の画像表示装置９は、液晶表示盤（ドットマトリックス表示器）等の画像表示部からなる図柄表示装置であり、図示はしないが特別図柄及び普通図柄が表示される。前記図柄表示装置を構成する画像表示部は、前記のような液晶表示盤に限られるものではなく、ＬＥＤ、ＥＬ、ＣＲＴやその他発光体で構成されていてもよい。
【００２２】
図２に示すように、遊技機１の遊技盤の裏面側には、該遊技盤の前面側に配設された前記画像表示装置９の画像表示部への図柄等の表示制御を行う図柄制御基板５７、同じく遊技盤の前面側である遊技領域６に配設された入賞口に入球した遊技球を集合させる集合路を有する集合板（図示せず）が設けられている。
【００２３】
また、図２の符号４０は遊技球を貯留する貯留タンク、４１はタンクレール、４２は枠用外部出力端子基板、４３はランプ中継基板、４４は受電基板、４５は賞球センサ中継基板、４６は盤面用外部出力端子基板、４７は中継基板、４８は音声制御基板、４９はＦＧ中継基板、５０は主制御基板、５１は電源基板、５２はランプ制御基板、５３は払出制御基板、５４は発射装置制御基板、５５はカードインターフェイス接続部、５６は電源プラグ、５７は図柄制御基板、Ｇは接地線、６０は基板収容ボックスである。前記主制御基板５０は基板収容ボックス６０内に封入される。
【００２４】
図２において示した前記の各種の基板（４３，４４，４５，４６，４７，４８，４９，５０，５１，５２，５３，５４，５７）に加え（基板収容ボックス内に封入されているものも含む）、カードインターフェイス接続部５５、電源プラグ５６は、本発明における電気的装置（電気的遊技装置）である。さらに電気的装置として図示はしないが各種の基板によって動作制御される払出装置等の遊技ユニットやプリペイドカードユニット他、当該遊技機１が設置される遊技施設（遊技場，ホール）との電気信号の送受信を行う送受信ユニット等がある。
【００２５】
図３を用いて複数の電気的装置同士を接続する態様について説明する。図示の電気的装置として、基板収容ボックス６０に格納された主制御基板５０、払出制御基板５３（基板収容ボックス内に格納）、図柄制御基板５７（基板収容ボックス内に格納）を例示し、これらを模式的に図示したものである。前記の電気的装置は、適宜本数からなる配線コード８１と該配線コード８１の両端にコネクタ９０を備えた配線体８０により、互いに電気的に接続され導通可能とされている。
【００２６】
図３より理解されるように、前記コネクタ９０が接続される場所として、前記払出制御基板５３及び図柄制御基板５７においては、コネクタ受け部７１が設けられ、前記主制御基板５０においては、複数個（図示では２個）のコネクタ９０を接続可能とする集合コネクタ受け部７０が設けられる。前記集合コネクタ受け部７０及びコネクタ受け部７１の内部には各種信号の送信あるいは受信及び電源供給が可能な制御端子７２が設けられ、コネクタ９０内部には配線コード８１の導電部が接触して導通可能状態となる導電線の接続端（図示せず）が設けられ、該制御端子７２にコネクタを接続することによって、該制御端子が接続端に接触して制御端子７２と配線コードが電気的に接続され、電気的装置同士による信号の送信あるいは受信が可能となるように構成されている。特に、前記主制御基板５０の集合コネクタ受け部７０にコネクタ９０を接続する際には、介在部材１００が着脱可能に介在される。符号１２０は後述する操作部である。
【００２７】
図示においては、複数の電気的装置同士として、ＣＰＵ，ＲＯＭ，ＲＡＭ等の各種電子部品が装着された主制御基板５０、払出制御基板５３、図柄制御基板５７の間での配線体８０による接続態様を表したものであるが、むろん、これらの電気的装置に限られるものではなく、前記した各種の電気的装置同士は互いに配線体８０により適切に接続される。
【００２８】
図４を用い、前記介在部材１００の構造を説明する。図４（ａ）の斜視図において、介在部材１００には２個のコネクタ９０（図３参照）を収容可能とするように筒状あるいは枠体形状に吹き抜けのある開口部１０２が形成され、コネクタ９０と集合コネクタ受け部７０が接続可能とされている。さらに、前記介在部材１００の左右両側には、当該介在部材を着脱操作するための操作部１２０が形成される。特に前記操作部１２０は介在部材１００の左右両側に突出している操作凸部１２１である。
【００２９】
図４（ｂ）は前記介在部材１００の上面図を示すものであり、開口部１０２は、外壁部１０７及び内壁部１０６により取り囲まれている。さらに、前記内壁部１０６にはコネクタと集合コネクタ受け部を介在する介在部１１０が形成されている。なお、前記コネクタ９０の接続場所を規制するために区画部１０３が設けられる構造である。前記区画部１０３を設けることによって、複数のコネクタの取り付け位置についての区画が各々明確になり、コネクタの配線接続の誤りを軽減することが可能となる。図４（ｃ）の断面図は図４（ｂ）のＸ−Ｘ線における断面を示すものである。図示のとおり、開口部１０２内の介在部１１０は、当該介在部材１００の集合コネクタ受け部側に接する内壁部１０６のコネクタ収容端部１０５に周設されている。
【００３０】
このように介在部材１００の少なくとも一部として介在部１１０を内壁部１０６あるいは開口部１０２に周設することにより、前記介在部材１００を引き抜き方向（図３中の符号Ｄ１方向参照）に移動する場合、前記介在部１１０の少なくとも一部が複数のコネクタ９０に当接して、前記介在部材に連なって前記コネクタが移動する。すなわち、前記介在部１１０の内径１１１はコネクタ９０の外径９９（図４（ｂ）にて破線で図示）より小さいため、コネクタ９０全体が開口部１０２を貫通不可能に構成されている。この結果、図３等に示す集合コネクタ受け部７０に接続された複数のコネクタ９０は介在部材１００を介して一括して抜き取ることができる。また、介在部材１００を集合コネクタ受け部７０からコネクタ９０を取り外すことができる位置に配置し、当該介在部材により集合コネクタ受け部７０からコネクタ９０を取り外すことができることによって、従来、コネクタ受け部に接続された配線体を取り外す際に見られるような配線体の配線コードを直接引っ張り、コネクタと配線コードとの接続状態が断たれてしまうおそれを軽減することが可能となる。
【００３１】
図５（ａ）の斜視図に示す介在部材１００Ａでは、図４に示した内壁部１０６及び外壁部１０７の一部を省略した形状である切り欠き部１０４が形成されている。また、図５（ａ）及び図５（ｂ）に示すとおり、切り欠き部１０４内の介在部１１０ａも図４の介在部材１００と同様に内壁部１０６ａのコネクタ収容端部１０５ａに周設されている。図５において、符号１１１ａは介在部１１０ａの内径であり、図４の構成部材と共通する部材については、同一の符号により表す。
【００３２】
図４及び図５に示した介在部材１００，１００Ａにおいて、介在部１１０，１１０ａは共に内壁部１０６，１０６ａのコネクタ収容端部１０５，１０５ａの全体に周設して形成したものである。この構成に限らず、図示を省略するが前記内壁部の一部分等のみに介在部１１０，１１０ａを形成することも可能である。
【００３３】
図６を用いて配線体８０（コネクタ９０）と集合コネクタ受け部７０との間における介在部材１００の着脱の状態を説明する。図６（ａ）に示すように適宜の電気的装置の制御基板上に設けられた集合コネクタ受け部７０の直上、すなわち前記集合コネクタ受け部の保護内壁部７４の直上に、介在部材１００の外壁部１０７を移動して合わせる。続いて図６（ｂ）に示すように、前記保護内壁部７４と外壁部１０７がすりあわされるように摺動して前記集合コネクタ受け部７０内に介在部材１００が嵌合される。そして、図６（ｃ）に示すとおり、２個の配線体８０のコネクタ９０が接続端子７２に嵌合するように接続される。以上から、複数の電気的装置同士は、配線体８０により電気的に導通され、各種の信号の送受信及び電源供給が行われる。
【００３４】
また、前記配線体８０（コネクタ９０）を集合コネクタ受け部７０から外す際には、図６（ｄ）に示すのとおり、介在部材１００の左右両側に形成されている操作部１２０（操作凸部１２１）を符号Ｆで示す垂直方向（引き抜き方向）に持ち上げる。その結果、前記の図４及び図５において詳述したとおりの機構から前記コネクタ９０は、介在部１１０に当接して介在部材の移動に連動して前記集合コネクタ受け部７０（制御端子７２）から一括して抜き取られる。なお、介在部材１００を介してコネクタ９０と集合コネクタ受け部７０が接続された状態において、操作部１２０である操作凸部１２１は、操作し易いように集合コネクタ受け部７０の外壁（保護外壁部７３）やコネクタ９０の外壁（コネクタ周部９１）から張り出すように突出した構成である。
【００３５】
図示のとおり、配線体８０（コネクタ９０）は介在部材１００により、一体的にして接続されているため、配線体同士の混線を避けることもできる。なお、図示した実施例の手順の他に、最初に配線体８０（コネクタ９０）を介在部材１００に嵌合させた後に集合コネクタ受け部７０に嵌合させることが可能であることは言うまでもない。
【００３６】
図７ないし図９を用いコネクタ段部を備えたコネクタ９０Ａを説明する。前記コネクタ９０Ａは、集合コネクタ受け部７０と当接するようにコネクタ周部９１の下方側（集合コネクタ受け部側）にコネクタ段部９２が形成され、介在部材の介在部が形成されている開口部あるいは切り欠き部内にコネクタの一部の制御端子との接続部が挿入可能になるような階段状の段差が設けられている。
【００３７】
図８に示す介在部材１００を介して配線体８０（コネクタ９０Ａ）と集合コネクタ受け部７０が接続された状態の概略断面図から理解されるように、前記介在部材１００の介在部１１０には、自明ながら介在部自体の肉厚（厚み）が存在する。前記介在部自体の肉厚は、図９の主要部拡大図（図８の符号Ｚ１部分）に示すＴ１と表される。これまでに詳述したコネクタ９０の構造にあっては、当該コネクタ９０を集合コネクタ受け部７０の制御端子７２に差し込み接続する際、当該肉厚Ｔ１の厚さ分の隙間が発生していた。しかしながら、コネクタ９０Ａのようにコネクタ段部９２が形成されることにより、前記肉厚Ｔ１の厚さ分は、コネクタにおけるその底面側（集合コネクタ受け部に向かう側）に突出形成されている。この結果、コネクタと集合コネクタ受け部との間に生じる余分な隙間は減少するため、ほこり等の侵入を防ぎ、制御端子を保護することができる。
【００３８】
また、前記の図７ないし図９に示した介在部自体の肉厚（厚み）を吸収する構造の他に、図１０及び図１１として示す構造も提示される。図１０に示す介在部材１００を介して配線体８０（コネクタ９０）と集合コネクタ受け部７０Ｐが接続された状態の概略断面図から理解されるように、前記集合コネクタ受け部７０Ｐには制御端子を立設している制御端子立設部７５が形成されている。図１１の主要部拡大図（図１０の符号Ｚ２部分）に示すとおり、前記介在部材１００の介在部１１０自体の肉厚はＴ２と表される。前記肉厚Ｔ２の厚さ分は、ほぼ制御端子立設部７５の厚さとして、集合コネクタ受け部から隆起するように形成される。この結果、前記コネクタ９０と前記集合コネクタ受け部７０Ｐ（制御端子立設部７５）との隙間を減ずることが可能となり、また制御端子をむき出さないようにすることによって不正防止が可能となる。
【００３９】
図１２に示すとおり、介在部材１００Ｂは、操作部１２０として形成された操作凸部１２１に、さらに係着部１３０が設けられている実施例である。符号１３１は係着鉤部である。介在部材１００Ｂにおいて、前記介在部材１００と同一箇所には同一符号で示す。
【００４０】
図１３の主要部拡大側面図は、前記介在部材１００Ｂと集合コネクタ受け部７０Ｑとの接続状態（係着状態）を示すものである。集合コネクタ受け部７０Ｑの保護外壁部７３の上辺部７３ｕには被係着部として作用する保護外壁突部７６が形成されている。図示の接続状態において、前記集合コネクタ受け部７０Ｑの保護外壁突部７６（被係着部）は、前記介在部材１００Ｂの係着部１３０（係着鉤部１３１）及び外壁部１０７に挟まれるようにして握持される。特に、前記係着鉤部１３１が垂直上方に移動する際、前記保護外壁突部７６（被係着部）は移動の抵抗となり、前記介在部材１００Ｂは集合コネクタ受け部７０Ｑから安易に脱離することがなくなる。
【００４１】
ここで、前記介在部材１００Ｂを集合コネクタ受け部７０Ｑから脱離させる動作について説明する。図中の破線で示す操作部，係着部等から容易に理解されるように、前記操作部１２０（操作凸部１２１）を矢印Ｈ方向に回動させることに伴い、係着部１３０及び係着鉤部１３１は保護外壁部７３から離れる。こうして、前記係着鉤部１３１と保護外壁突部７６との間に隙間が生じることとなる。従って、前記係着鉤部１３１が垂直上方に移動する際、前記係着鉤部１３１は保護外壁突部７６の抵抗を受けることなく、前記介在部材１００Ｂは集合コネクタ受け部７０Ｑから脱離可能となる。
【００４２】
上述のとおり、前記介在部材１００Ｂは、操作部１２０の回動を保証し、さらに絶縁性が必要であるため、可塑性樹脂により成形されることが望ましい。なお、図示の実施例では、操作部の左右両端に係着部（係着鉤部）を設けた構成であるが、左右のいずれか一方に設けることもできる。加えて、係着部を介在部材ではなく、集合コネクタ受け部に形成し、同時に被係着部を介在部材に形成する構成も可能である。
【００４３】
図１４に示すとおり、配線体８０のコネクタ９０Ｂは、コネクタ周部９１にコネクタ係着部９３を設けて後述する介在部材１００Ｃとの間で係着可能に構成されたものである。なお、前記コネクタ９０Ｂはコネクタ段部９２が形成されており、作用は前記したとおりである。むろん、段部を設けない構成も可能である。
【００４４】
図１５の主要部断面図は、前記コネクタ９０Ｂと介在部材１００Ｃとの接続状態（係着状態）を示すものである。介在部材１００Ｃの外壁部１０７には外壁突部１０８が形成されている。図示の接続状態において、介在部材１００Ｃの外壁突部１０８は、前記コネクタ９０Ｂのコネクタ係着部９３（コネクタ係着鉤部９４）及びコネクタ周部９１に挟まれるようにして握持される。特に、前記コネクタ係着鉤部９４が垂直上方に移動する際、前記外壁突部１０８は移動の抵抗となり、前記コネクタ９０Ｂは介在部材１００Ｃから安易に外れにくくなる。
【００４５】
ここで、前記コネクタ９０Ｂを介在部材１００Ｃから取り外す動作について説明する。図中の破線で示すコネクタ係着部等から容易に理解されるように、前記コネクタ係着部９３を矢印Ｊ方向に回動させることに伴い、コネクタ係着部９３及びコネクタ係着鉤部９４は外壁突部１０８から離れる。こうして、前記コネクタ係着部９３と外壁突部１０８との間に隙間が生じることとなる。従って、前記コネクタ係着部９３が垂直上方に移動する際、前記コネクタ係着鉤部９４は外壁突部１０８の抵抗を受けることなく、前記コネクタ９０Ｂは介在部材１００Ｃから取り外される。
【００４６】
上記のとおり、図１４及び図１５に示した実施例のコネクタ９０Ｂを用いると、前記の図６，図７等に示したコネクタを用いた場合と比して、介在部材を集合コネクタ受け部から脱離した際、各々のコネクタは介在部材から外れにくくなる。このため、コネクタの結束が良く利便性が向上し、電気的装置を取り外す場合の作業性がより高まる。
【００４７】
図１６を用いて配線体８０（コネクタ９０Ｂ）と集合コネクタ受け部７０Ｑとの間における着脱の状態を説明する。前記集合コネクタ受け部７０Ｑは、コネクタ９０Ｂの接続時、コネクタ係着部９３が接続の障害とならないように保護外壁部７３及び保護内壁部７４の一部分を欠く構成である。図１６（ａ）に示すように適宜の電気的装置の制御基板上に設けられた集合コネクタ受け部７０Ｑの直上、すなわち前記集合コネクタ受け部の保護内壁部７４の直上に、介在部材１００Ｃの外壁部１０７が移動されて合わされる。続いて図１６（ｂ）に示すように、前記保護内壁部７４と外壁部１０７がすりあわされるようにして前記集合コネクタ受け部７０Ｑ内に介在部材１００Ｃが嵌合される。この場合、図１３で示したように左右両端の操作凸部１２１は上向きに折り曲げられ、前記保護外壁突部７６（被係着部）を抱え込むようにして係着する（図１３参照）。
【００４８】
そして、図１６（ｃ）に示すとおり、２個の配線体８０のコネクタ９０Ｂが接続端子７２に嵌合するように接続される。以上から、複数の電気的装置同士は、配線体８０により電気的に導通され、各種の信号の送受信及び電源供給が可能となる。この場合も、図１５で示したように前記コネクタ係着部９３は上向きに折り曲げられ、前記外壁突部１０８を抱え込むようにして係着する（図１３参照）。なお、図示した実施例の手順の他に、最初に配線体８０（コネクタ９０Ｂ）を介在部材１００Ｃに嵌合させた後に集合コネクタ受け部７０Ｑに嵌合させることが可能であることは言うまでもない。
【００４９】
また、前記配線体８０（コネクタ９０Ｂ）を集合コネクタ受け部７０Ｑから外す際には、図１６（ｄ）に示すのとおり、介在部材１００の左右両側に形成されている操作部１２０（操作凸部１２１）が上向きに折り曲げられながら符号Ｆで示す垂直方向（引き抜き方向）に持ち上げられて係着状態が解除される。その結果、前記コネクタ９０Ｂは、前記集合コネクタ受け部７０Ｑ（制御端子７２）から一括して抜き取られる。なお、コネクタ９０Ｂと介在部材１００Ｃにおいては以前係着状態が維持されている。
【００５０】
図１７は、操作部として操作凹部が形成されている介在部材１００Ｄを例示する。図１７（ａ）に示すとおり、前記介在部材１００Ｄにあっては、操作部１２０として略円形に切り抜かれた操作凹部１２２が形成されている。前記操作凹部１２２に指をかける等により、当該介在部材１００Ｄを容易に集合コネクタ受け部７０に接続及び集合コネクタ受け部７０から抜き取ることができる。加えて、前記操作凹部をくぼみ状（図示省略）とすることもできる。また、図１７（ｂ）に示すとおり、集合コネクタ受け部７０には、指等を挿入可能な空間ｆａが設けられる。
【００５１】
図１８は、配線体の結束を保つため、コネクタ自体を予め連結可能とする例を示す。図１８（ａ）のコネクタ９０Ｃには、コネクタ連結部９５として連結凹部９６が設けられ、一方、コネクタ９０Ｄには、コネクタ連結部９５として連結凸部９７が設けられる。図１８（ｂ）に示されるように前記連結凹部９６に連結凸部９７が組み合わされ、完全にコネクタ９０Ｃ及びコネクタ９０Ｄは一体に連結される。続いて、図１８（ｃ）に示すのとおり、集合コネクタ受け部７０Ｑに装着された介在部材１００Ｃの内部にコネクタ９０Ｃ，９０Ｄは接続される。図示の実施例によると、個々のコネクタはコネクタ連結部を介して一体に連結されて介在部材に接続されるため、介在部材の区画部が省略されている。
【００５２】
なお、本発明の要旨を変更しない限りにおいて、適宜の変更は可能である。例えば、介在部材に収容されるコネクタの数は３個以上にできることは自明である。また、電気的装置として例えば制御基板においては、一般に基板の側部に複数のコネクタ受け部が配置され、前記コネクタ受け部に設けられた制御端子が多く並んでいる方向にほぼ一直線上に並ぶ構成が多い。そのため、集合コネクタ受け部は制御端子が多く並んでいる長手方向に複数のコネクタが接続される構成が好ましい。また、この長手方向に構成することによって制御端子数の異なる複数種類のコネクタを集合コネクタ受け部に接続することが可能となる。
【００５３】
従って、本発明のとおり、コネクタ受け部を集合コネクタ受け部に変更し、介在部材を介して配線体のコネクタを接続するようにすると、コネクタは一括して取り外すことができ、取り外し作業が簡素化される。この他、介在部材を２本の板状体もしくは棒状体として、該板状体もしくは棒状体により適宜数のコネクタを結束して集合コネクタ受け部に接続することも可能である。
【００５４】
加えて、介在部材に形成されている開口部あるいは切り欠き部の内にコネクタと合致するような適宜の溝を付すこともできる。溝の形状及び本数により、接続すべきコネクタの識別が容易となり、例えば、類似した形のコネクタが複数存在するような場合であっても、コネクタの接続場所を誤ることがなくなる。
【００５５】
以上のとおり、パチンコ遊技機を用いて発明を開示し、かつ説明をしてきたが、本発明はこれに限定されず、コイン遊技機、アレンジボール機、スロットマシン等に用いてもよい。
【図面の簡単な説明】
【００５６】
【図１】本発明の一実施例に係る遊技機全体の正面図である。
【図２】同遊技機全体の裏面図である。
【図３】電気的装置同士の接続状態の概略を示す斜視図である。
【図４】第一実施例に係る介在部材の斜視図と上面図と断面図である。
【図５】第二実施例に係る介在部材の斜視図と上面図である。
【図６】第一実施例に係る介在部材を介して配線体と集合コネクタ受け部との着脱状態を示す概略斜視図である。
【図７】他の例に係るコネクタの斜視図である。
【図８】図７のコネクタ接続時の断面図である。
【図９】図８の主要部拡大図である。
【図１０】他の例に係るコネクタ受け部の断面図である。
【図１１】図１０の主要部拡大図である。
【図１２】第三実施例に係る介在部材の斜視図である。
【図１３】図１２の介在部材の主要部断面図である。
【図１４】さらに他の例に係るコネクタの斜視図である。
【図１５】図１４のコネクタの主要部断面図である。
【図１６】第三実施例に係る介在部材を介して配線体と集合コネクタ受け部との着脱状態を示す概略斜視図である。
【図１７】第四実施例に係る介在部材を介して配線体と集合コネクタ受け部との着脱状態を示す概略斜視図である。
【図１８】別例に係るコネクタと集合コネクタ受け部との着脱状態を示す概略斜視図である。
【符号の説明】
【００５７】
１  遊技機
５０  主制御基板
５３  払出制御基板
５７  図柄制御基板
７０，７０Ｐ，７０Ｑ  集合コネクタ受け部
７１  コネクタ受け部
７２  制御端子
７５  制御端子立設部
８０  配線体
８１  配線コード
９０，９０Ａ，９０Ｂ，９０Ｃ，９０Ｄ  コネクタ
９２  コネクタ段部
９３  コネクタ係着部
１００，１００Ａ，１００Ｂ，１００Ｃ，１００Ｄ  介在部材
１０２  開口部
１０４  切り欠き部
１１０，１１０ａ  介在部
１２０  操作部
１２１  操作凸部
１２２  操作凹部
１３０  係着部
【図１】
2005131181.tif 000003
【図２】
2005131181.tif 000004
【図３】
2005131181.tif 000005
【図４】
2005131181.tif 000006
【図５】
2005131181.tif 000007
【図６】
2005131181.tif 000008
【図７】
2005131181.tif 000009
【図８】
2005131181.tif 000010
【図９】
2005131181.tif 000011
【図１０】
2005131181.tif 000012
【図１１】
2005131181.tif 000013
【図１２】
2005131181.tif 000014
【図１３】
2005131181.tif 000015
【図１４】
2005131181.tif 000016
【図１５】
2005131181.tif 000017
【図１６】
2005131181.tif 000018
【図１７】
2005131181.tif 000019
【図１８】
2005131181.tif 000020